(57)【要約】【課題】部品点数が少なく、かつ、組立作業性の良好な錠装置の提供を目的とする。【解決手段】一対のケース半体１を連結して形成される錠ケース２内に収容され、施解錠操作装置３により施解錠回転位置間を回転駆動される回転カム４と、  回転カム４の施解錠回転位置への移動に伴って施解錠位置間を進退駆動されるデッドボルト５と、  回転カム４を施解錠回転位置のいずれかに付勢して保持する付勢部６とを有する錠装置であって、  前記付勢部６は、  回転カム４をクランクとし、錠ケース２内に回転自在に立設される回転支柱７に滑り対偶で連結されて揺動スライダクランク機構を構成する連結杆８と、  一端を回転支柱７に当接させて連結杆８に装着される圧縮スプリング９とを有し、  前記回転支柱７は、一端がいずれかのケース半体１上に固定される機能部品から延設された軸受片１０により支承されるとともに、他端が、前記機能部品が固定されるケース半体１により支承されて姿勢保持する。【選択図】  図５
2008127783.tif 000002
【特許請求の範囲】
【請求項１】
一対のケース半体を連結して形成される錠ケース内に収容され、施解錠操作装置により施解錠回転位置間を回転駆動される回転カムと、
回転カムの施解錠回転位置への移動に伴って施解錠位置間を進退駆動されるデッドボルトと、
回転カムを施解錠回転位置のいずれかに付勢して保持する付勢部とを有する錠装置であって、
前記付勢部は、
回転カムをクランクとし、錠ケース内に回転自在に立設される回転支柱に滑り対偶で連結されて揺動スライダクランク機構を構成する連結杆と、
一端を回転支柱に当接させて連結杆に装着される圧縮スプリングとを有し、
前記回転支柱は、一端がいずれかのケース半体上に固定される機能部品から延設された軸受片により支承されるとともに、他端が、前記機能部品が固定されるケース半体により支承されて姿勢保持する錠装置。
【請求項２】
ストライク係止片と作動片とを備えて前記デッドボルトに揺動自在に軸支され、ストライク係止片がデッドボルト側縁から突出する方向に付勢された揺動鎌部材と、
ケース半体上に固定され、デッドボルトの解錠位置側への移動に際して作動片に干渉し、ストライク係止片をデッドボルト内に没入させる鎌作動部材とを有し、
前記回転支柱を前記鎌作動部材近傍に配置するとともに、前記鎌作動部材に軸受片を形成した請求項１記載の錠装置。
【発明の詳細な説明】
【技術分野】
【０００１】
本発明は、錠装置に関するものである。
【背景技術】
【０００２】
錠ケース内のデッドボルトを錠ケースから進退させて施解錠状態を形成する錠装置としては、特許文献１に記載のものが知られている。この従来例において、錠ケースにはシリンダ錠、またはサムターンにより回転操作されるダルマが回転自在に軸支される。ダルマはクランクアームを介してデッドボルトに連結され、ダルマの回転によりデッドボルトが施解錠位置間を並進駆動される。
【０００３】
デッドボルトを施解錠いずれかの位置に選択的に停止させるために、ダルマには、錠ケースから立設される柱状の案内手段に一端が軸長方向に移動自在に挿入される連結杆と、連結杆に巻装される圧縮スプリングからなる付勢手段が装着される。
【０００４】
ダルマが所定角度回転すると、圧縮スプリングの撓み量は最大となり、この思案点を僅かにずれると、圧縮スプリングの復元力によりいずれかの回転ストローク終端、すなわち、デッドボルトの施解錠いずれかの位置に移動するために、デッドボルトは施解錠いずれかの位置に保持される。
【特許文献１】特開２００６-１２５０５８号公報
【発明の開示】
【発明が解決しようとする課題】
【０００５】
しかし、上述した従来例において、付勢手段を構成する案内手段は錠ケースに対して回転自在に立設する必要があり、作業が面倒であるという問題がある。すなわち、図７（ａ）、（ｂ）に示すように、圧縮スプリング９により横方向荷重を受けている柱状の案内手段１５を錠ケース２に回転自在に立設する場合、図７（ｃ）に示すように、予め錠ケース２に固定した心材１６周りに案内手段１５を空転自在に嵌合することができるが、この場合、心材１６を要する上に、心材１６の錠ケース２への固定のための工程も発生し、コスト上昇要因となる。
【０００６】
また、図７（ｄ）に示すように、案内手段１５の両端を錠ケース２、２の対向側壁面により支持することにより特別な部材を要することなく案内手段１５を立設することも可能であるが、この場合、一端が錠ケース２の一方の壁面上に支承された案内手段１５の他端を錠ケース２の対向壁面に形成した軸受孔１７に挿入させる工程が必要になる。
【０００７】
しかし、案内手段１５は錠ケース２上に所定のクリアランスをもたせて立設させることが必要な上に、案内手段１５には圧縮スプリング９の付勢力による倒伏方向の力が与えられているために、案内手段１５の他端を錠受け孔１７に導く作業は非常に困難であり、作業性が極めて悪いという問題がある。
【０００８】
本発明は、以上の欠点を解消すべくなされたものであって、部品点数が少なく、かつ、組立作業性の良好な錠装置の提供を目的とする。
【課題を解決するための手段】
【０００９】
錠装置は、錠ケース２内に収容したデッドボルト５を施解錠操作装置３により駆動可能に形成される。施解錠操作装置３には、モータ等のアクチュエータを動力とするもの、あるいはシリンダ錠、サムターン装置等の手動による装置であってもよい。
【００１０】
デッドボルト５の駆動は、上記施解錠操作装置３により回転カム４を施解錠回転位置間で移動させることにより行われ、回転カム４を施解錠回転位置に保持するために、付勢部６が構成される。
【００１１】
付勢部６は、図６に示すように、回転カム４と、回転カム４から適宜間隔離れた位置に回転自在に立設される回転支柱７と、回転支柱７に滑り対偶で連結される連結杆８とを有して構成される。連結杆８の一端を回転カム４に連結したリンク機構は、図６（ｂ）に示すように、回転カム４の回転中心から連結杆８の連結部までをクランクとし、回転カム４と回転支柱７を支持する錠ケース２を固定リンクとする揺動スライダクランク機構が構成され、クランクの回転に伴ってスライダ（回転支柱７）、クランク（回転カム４）間の距離が変化する。
【００１２】
図６（ａ）に示すように、スライダとクランクを連結する連結杆８に圧縮スプリング９を巻装すると、図６（ｃ）に示す思案点において撓み量が最大となり、思案点を超えると、クランクには圧縮スプリング９の復元力による回転トルクが発生し、回転トルク発生域内にクランクの回転ストッパを設定しておくと、クランクはいずれかの回転ストローク終端に付勢状態で停止する。
【００１３】
回転支柱７を錠ケース２を構成する一方のケース半体１上に一端が支承されて立設される回転支柱７の他端を当該ケース半体１上に固定される他部品により支持する本発明において、圧縮スプリング９による回転支柱７の倒伏、傾斜が規制されるために、ケース半体１に連結される他のケース半体１への位置合わせが不要となり、組立作業性が向上する。
【００１４】
回転支柱７の端部を支持する軸受片１０は、回転支柱７の近傍に回転支柱７支持の目的以外の目的で配置された適宜の部品から延設することができ、例えばデッドボルト５進退時に操作される揺動鎌部材１３の操作部材に形成することができる。
【発明の効果】
【００１５】
本発明によれば、部品点数が少なく、かつ、組立作業性の良好な錠装置を得ることができる。
【発明を実施するための最良の形態】
【００１６】
図１に示すように、錠装置は、錠ケース２内に収容されるデッドボルト５を備える。錠ケース２は一対のケース半体１、１を連結して形成され、錠ケース２の前端面（本明細書において、デッドボルト５が飛び出す方向を「前方」とし、「上下」「側方」は扉体に固定した姿勢を基準に決定する。）には、図外の扉体内に挿入して固定するときの扉体への固定用フランジを提供する取付プレート２ａと、扉体への固定後に取付用ビスを隠すための化粧プレート２ｂが連結される。
【００１７】
図１に示すように、デッドボルト５は、板材を断面Ｕ字形状に屈曲させて前後に長く形成され、図１（ａ）に示すように、前端が取付プレート２ａ、および化粧プレート２ｂを貫通して錠ケース２外に飛び出す施錠位置と、図１（ｂ）に示すように、錠ケース２内に没入した解錠位置との間で進退移動する。
【００１８】
図２に示すように、上記デッドボルト５には、２枚の鋼板を積層して形成された揺動鎌部材１３が連結される。揺動鎌部材１３は前端にストライク係止片１１、後端に作動片１２を備えてＵ字形状に形成され、作動片１２側においてデッドボルト５に回転自在に軸支される。
【００１９】
この揺動鎌部材１３は、自重により図１における反時計回りに付勢されており、図１（ａ）に示すように、デッドボルト５が施錠位置に移行すると、デッドボルト５の下端縁からストライク係止片１１が突出する。この状態でドア枠、あるいは扉体にデッドボルト５進退方向の不正な変形が加えられた場合、ストライク係止片１１はデッドボルト５が挿入している図外のストライク孔に係止し、デッドボルト５のストライク孔の抜去、すなわち、扉体の不正開放が規制される。
【００２０】
上記デッドボルト５を駆動するために、錠ケース２内には電動の施解錠操作装置３として機能する動力ユニット３Ａが固定される。図１（ｂ）に示すように、動力ユニット３Ａは、モータ１８の動力を回転出力軸１９の回転動力に変換する歯車列、およびモータ１８の制御等に必要な通電部品をユニットケース内に収容して形成される。
【００２１】
動力ユニット３Ａの回転出力軸１９に出力される回転動力は、回転出力軸１９に連結される平歯車からなる出力ギア２０、この出力ギア２０に噛合するラック伝達部材２１を介して回転カム４に伝達される。回転カム４が回転駆動されると、回転カム４のデッド操作リンク部４ａがデッドボルト５の後端に突設される操作突出部５ａを押圧し、デッドボルト５を進退駆動する。
【００２２】
また、上記動力ユニット３Ａの回転出力軸１９と歯車列の最後段ギア２２との間には回転方向に遊びが設定され、アクチュエータは、例えば施錠方向に駆動された場合には、回転出力軸１９を施錠方向に回転させた後、遊び角の範囲で反転駆動される。この結果、回転出力軸１９は歯車列の規制を受けることなく解錠方向への回転が可能なり、後述するシリンダ錠３Ｂ等による解錠操作を可能にする。
【００２３】
さらに、錠装置には手動の施解錠操作装置３として、シリンダ錠３Ｂと、サムターン装置３Ｃを連結することができる。図３に示すように、錠ケース２の側方壁に開設され、回転カム４を臨む取付孔２ｃからシリンダ錠３Ｂ等の取付突部３ａを挿入して錠ケース２に固定すると、シリンダ錠３Ｂ等への操作により回転する連結子３ｂが回転カム４のカム孔４ｂに挿入する。
【００２４】
この状態でシリンダ錠３Ｂ等を現在の状態を反転させる方向に操作すると、動力ユニット３Ａの規制を受けることなく回転カム４を回転させ、デッドボルト５を反転位置に移動させることができる。
【００２５】
上記デッドボルト５の施解錠位置への移動に同期させて揺動鎌部材１３を操作するために、デッドボルト５近傍には鎌作動部材１４が固定される。図４に示すように、鎌作動部材１４は、錠ケース２への固定片１４ａの前端に立ち上げられる干渉片１４ｂと、干渉片１４ｂの上端から後方に折り返される軸受片１０とを有する。軸受片１０には、後述する回転支柱７の自由端が挿入される支柱挿入孔１０ａが開設される。
【００２６】
上述したように、デッドボルト５が施錠位置にあるとき、揺動鎌部材１３のストライク係止片１１はデッドボルト５の下縁から突出しており、このとき、図１（ａ）に示すように、作動片１２もデッドボルト５から突出し、干渉片１４ｂはこの作動片１２の後方に位置する。この状態からデッドボルト５が解錠位置側に移動すると、揺動鎌部材１３の作動片１２が鎌作動部材１４の干渉片１４ｂ上端部に当接し、やがて支点を中心に時計回りに回転する。デッドボルト５が解錠位置方向に適宜距離移動すると、干渉片１４ｂは軸受片１０上に完全に乗り上げるとともに、ストライク係止片１１はデッドボルト５内に没入し、この後、作動片１２が軸受片１０上を摺動しながら図１（ｂ）に示す解錠位置に移動する。
【００２７】
上記回転カム４を施解錠回転位置に保持させるために、付勢部６が構成される。図６に示すように、付勢部６は、回転カム４に形成される作動リンク部４ｃに一端が回転自在に連結される連結杆８と、回転支柱７とを有する。図５（ｂ）に示すように、回転支柱７は、一端が錠ケース２に開設された支柱装着孔２ｄに挿入されて回転自在に立設され、自由端部は、組立時の倒伏を防止するために、上記鎌作動部材１４の支柱挿入孔１０ａに挿入される。
【００２８】
以上のようにして回転自在に立設される回転支柱７には軸長方向に直交して貫通孔７ａが開設され、上記連結杆８の一端部が摺動自在に挿入される。連結杆８は中間部にはバネ受けフランジ８ａが形成されるとともに、回転支柱７の貫通孔７ａ周辺にはバネ受け平面７ｂが形成され、連結杆８には、上記バネ受けフランジ８ａとバネ受け平面７ｂを両端が圧接する状態で圧縮スプリング９が巻装される。
【００２９】
圧縮スプリング９は、回転カム４が図１（ａ）、図６（ｄ）に示す施錠回転位置、および図１（ｂ）、図６（ａ）に示す解錠回転位置の双方の状態で撓みが発生する自然長を有しており、これら両位置で回転カム４をオーバーラン方向に付勢する。この結果、図５に示すように、回転カム４に突設されるストッパ突起４ｄは、回転カム４を支持するカム受け部材２３のカム挿通孔２３ａに突設されるストッパ突部２３ｂに圧接し、ぐらつきが防止される。
【図面の簡単な説明】
【００３０】
【図１】本発明を示す図で、（ａ）は施錠状態を示す図、（ｂ）は解錠状態を示す図である。
【図２】デッドボルトを示す図で、（ａ）は分解斜視図、（ｂ）は揺動鎌部材を連結した状態を示す斜視図である。
【図３】シリンダ錠を装着した状態を示す断面図である。
【図４】鎌作動部材を示す図で、（ａ）は錠ケースへの固定状態を示す分解斜視図、（ｂ）は施錠状態における鎌作動部材の動作を示す図、（ｃ）は解錠状態における鎌作動部材の動作を示す図である。
【図５】付勢手段を示す図で、（ａ）は分解斜視図、（ｂ）は図１（ｂ）の５Ｂ-５Ｂ線断面図である。
【図６】付勢手段の動作を示す図で、（ａ）は施錠状態を示す図、（ｂ）は（ａ）の機構スケルトン図、（ｃ）は思案位置を示す図、（ｄ）は解錠状態を示す図である。
【図７】従来例の問題を示す説明図で、（ａ）は案内手段を立設させた状態を示す図、（ｂ）は（ａ）の平面図、（ｃ）は心材を使用して案内手段を立設させた状態を示す図、（ｄ）は錠ケースにより案内手段を支承するときの組立を示す説明図である。
【符号の説明】
【００３１】
１        ケース半体
２        錠ケース
３        施解錠操作装置
４        回転カム
５        デッドボルト
６        付勢部
７        回転支柱
８        連結杆
９        圧縮スプリング
１０      軸受片
１１      ストライク係止片
１２      作動片
１３      揺動鎌部材
１４      鎌作動部材
【図１】
2008127783.tif 000003
【図２】
2008127783.tif 000004
【図３】
2008127783.tif 000005
【図４】
2008127783.tif 000006
【図５】
2008127783.tif 000007
【図６】
2008127783.tif 000008
【図７】
2008127783.tif 000009